(57)【特許請求の範囲】
【請求項１】
発光体及びケーシングからなり、このケーシングの所定の位置及びこれと相対する位置に連結部をそれぞれ設け、上記各連結部に道糸又は釣針を連結し、上記両連結部を結ぶ方向に長い収納部を上記ケーシングの内部に設け、上記収納部を形成するケーシングの周壁を上記収納部の長さ方向に２つの区域に分け、その一方の区域の周壁又はその周壁と接する端壁、及び他方の区域の周壁又はその周壁と接する端壁に、それぞれ少なくとも１つ外部と通じる開口部を設け、上記一方の区域の周壁は透光性を有し、上記他方の区域の周壁は遮光性を有し、上記収納部に上記いずれかの区域の長さと実質的に等しい長さの発光体をその長さ方向に移動可能に収納してなる集魚具。
【請求項２】
発光体及びケーシングからなり、このケーシングの所定の位置及びこれと相対する位置に連結部をそれぞれ設け、上記各連結部に道糸又は釣針を連結し、上記両連結部を結ぶ方向に長い収納部を上記ケーシングの内部に設け、上記収納部を形成するケーシングの周壁を上記収納部の長さ方向に２つの区域に分け、その一方の区域の周壁又はその周壁と接する端壁、及び他方の区域の周壁又はその周壁と接する端壁に、それぞれ少なくとも１つ外部と通じる開口部を設け、上記２つの区域の周壁はいずれも透光性であると共に、これら２つの区域の周壁は互いに色相が異なり、上記収納部に上記いずれかの区域の長さと実質的に等しい長さの発光体をその長さ方向に移動可能に収納してなる集魚具。
【請求項３】
発光体及びケーシングからなり、このケーシングの所定の位置及びこれと相対する位置に連結部をそれぞれ設け、上記各連結部に道糸又は釣針を連結し、上記ケーシングに切欠部を設け、上記切欠部を形成する１つの壁面から上記両連結部を結ぶ方向に円柱状の穴を設け、この穴の周面と連続する内周面を有する円筒体を上記切欠部に設け、上記穴及び円筒体により収納部を形成し、上記穴の周壁又はその周壁と接する端壁、及び上記円筒体又はその円筒体と接する上記ケーシングの壁に、それぞれ少なくとも１つ外部と通じる開口部を設け、上記円筒体は透光性であり、上記収納部に上記の穴の長さ又は円筒体の長さと実質的に等しい長さの発光体をその長さ方向に移動可能に収納してなる集魚具。
【発明の詳細な説明】
【０００１】
【発明の属する技術分野】
この発明は、魚釣りに用いられる集魚具に関する。
【０００２】
【従来の技術】
光により魚を集めることは従来から知られており、その方法としては、例えば、漁船の上より集魚灯によって海面を照らして魚を集める方法や、魚釣具の道糸の途中に化学発光体を取り付けることによって海中で発光させ、魚を集める方法が知られている。
【０００３】
【発明が解決しようとする課題】
しかしながら、集魚灯を用いる方法は、漁船に集魚灯を備える必要があり、装備が大がかりとなる。また、海面上より照らすので、深度が深いと、海底付近の魚を集めにくくなる。
【０００４】
また、化学発光体を取り付ける場合、ある程度魚を集めることができるが、この発光体は海中で発光状態のままであるので、変化が少なく、魚の好奇心を煽りにくいため、より多くの魚を集めにくい。
【０００５】
そこで、この発明の課題は、大がかりな装備を用いることなく、より多くの魚を集めることである。
【０００６】
【課題を解決するための手段】
上記の課題を解決するため、この集魚具にかかる発明は、発光体及びケーシングからなり、このケーシングの所定の位置及びこれと相対する位置に連結部をそれぞれ設け、上記各連結部に道糸又は釣針を連結し、上記両連結部を結ぶ方向に長い収納部を上記ケーシングの内部に設け、上記収納部を形成するケーシングの周壁を上記収納部の長さ方向に２つの区域に分け、その一方の区域の周壁又はその周壁と接する端壁、及び他方の区域の周壁又はその周壁と接する端壁に、それぞれ少なくとも１つ外部と通じる開口部を設け、上記一方の区域の周壁は透光性を有し、上記他方の区域の周壁は遮光性を有し、上記収納部に上記いずれかの区域の長さと実質的に等しい長さの発光体をその長さ方向に移動可能に収納してなる。
【０００７】
さらに、上記の２つの区域に分けられた収納部について、その一方の区域の周壁を透光性とし、かつ、他方の区域の周壁を遮光性とするかわりに、これら２つの区域の周壁をいずれも透光性とすると共に、これら２つの区域の周壁の色相を互いに異ならせることができる。
【０００８】
また、発光体及びケーシングからなり、このケーシングの所定の位置及びこれと相対する位置に連結部をそれぞれ設け、上記各連結部に道糸又は釣針を連結し、上記ケーシングに切欠部を設け、上記切欠部を形成する１つの壁面から上記両連結部を結ぶ方向に円柱状の穴を設け、この穴の周面と連続する内周面を有する円筒体を上記切欠部に設け、上記穴及び円筒体により収納部を形成し、上記穴の周壁又はその周壁と接する端壁、及び上記円筒体又はその円筒体と接する上記ケーシングの壁に、それぞれ少なくとも１つ外部と通じる開口部を設け、上記円筒体は透光性であり、上記収納部に上記の穴の長さ又は円筒体の長さと実質的に等しい長さの発光体をその長さ方向に移動可能に収納してなる。
【０００９】
この集魚具は、一方の連結部に道糸が連結され、他方の連結部に道糸又は釣針が連結されて、水中に投じられる。ケーシングには少なくとも２つの開口部が設けられているので、水中に投じられると収納部に水が入り、水中で沈みやすくなる。さらに、この集魚具の他方の連結部に連結される道糸等におもりが取り付けられるので、他方の連結部側が水中で下方に向いて水中を降下する。
【００１０】
また、このおもりを取り付ける代わりに、上記のケーシングの部分のうち、他方の連結部を有する側の部分を金属等の水より重い材料で構成すると、上記のおもりを取り付けた場合と同様に、他方の連結部側が下方に向いて水中を降下する。さらに、上記のケーシングの部分のうち、他方の連結部を有する側の部分を金属等の水より重い材料で構成することに加えて、他方の連結部側に連結した道糸等におもりをつければ、より早く集魚具を水中を降下させることができる。
【００１１】
これらいずれの場合も、ケーシングは水中で垂直の状態となり、その内部の収納部に収納された発光体は、上下方向に移動可能となる。この発光体は、一般に水より軽いため、水中においては浮力によって上昇し、収納部の上端面に接する状態で存在する。
【００１２】
上記の集魚具を水底近くに沈めた状態で道糸を急に引き上げると、ケーシングは道糸と一緒に上方に引き上げられるが、発光体はこの急な動きについていけず、遅れて浮力によって上昇する。このため、発光体は一時的に収納部の下方に移動することとなる。収納部を形成するケーシングの周壁は、２つの区域を有しており、その両方の区域が透光性を有する周壁と遮光性を有する周壁に分けられる場合と、両方の区域とも透光性を有するが色相が異なる周壁に分けられる場合とがある。
【００１３】
透光性と遮光性の周壁に分けられる場合は、道糸の急な引き上げによって、発光体は、収納部の中において、透光性を有する周壁から遮光性を有する周壁への移動、又はその逆に、遮光性を有する周壁から透光性を有する周壁への移動することになる。また、色相の異なる周壁に分けられた場合は、２つの色相の異なる周壁間で移動することになる。このため、いずれの場合も、道糸の急な引き上げを繰り返すことにより、発光体から発する光の点滅や光の色相の変化が生じる。これらの点滅や色相の変化によって魚の好奇心を誘うことが可能となる。
【００１４】
また、釣竿の急な引き上げの繰り返しによって、ケーシングの収納部の両端面と発光体との衝突が繰り返されるので、衝突音が発生する。この衝突音によっても、魚の好奇心を誘うことが可能となる。
【００１５】
【発明の実施の形態】
以下、この発明の実施形態を図面を参照して説明する。
【００１６】
この発明にかかる集魚具１は、図１又は図２に示すように、発光体２及びケーシング３からなる。
【００１７】
上記発光体２は、光を発するものであり、化学発光体やダイオード発光体等があげられる。化学発光体の具体例としては、ケミホタル（登録商標）があげられる。また、ダイオード発光体は電池によって発光するが、これを使用するときは、使用場所が水中であることから、防水加工が施された電池が使用される。
【００１８】
上記ケーシング３の所定の位置に連結部１１が設けられ、また、この連結部１１と相対する位置に連結部１２が設けられる。例えば、図１又は図２に示すように、円筒状の場合は、その両端部に連結部１１、１２が設けられる。この各連結部１１、１２には道糸２１、２２が連結される。また、連結部１２には、道糸２２のかわりに釣針２３を設けることができる（図６参照）。
【００１９】
図２に示すように、上記両連結部１１、１２を結ぶ方向に長い収納部１３が、ケーシング３の内部に設けられる。
【００２０】
収納部１３を形成するケーシング３の周壁は、収納部１３の長さ方向に２つの区域に分けられる。図１又は２に示すように、一方の区域の周壁と接する端壁に外部と通じる開口部１４が設けられ、及び、他方の区域の周壁と接する端壁に外部と通じる開口部１５が設けられる。この開口部１４、１５は、収納部１３を形成するケーシング３の両端部に設けられる場合だけでなく、収納部１３を形成するケーシング３の周壁に設けてもよい。すなわち、図３（ａ）に示すように、一方の区域の周壁に外部と通じる開口部１４’を設け、及び、他方の区域の周壁に外部と通じる開口部１５’を設けてもよい。また、これらの組み合わせであってもよい。すなわち、一方の区域の周壁又はその周壁と接する端壁に開口部１４又は１４’の少なくとも１つを設け、他方の区域の周壁又はその周壁と接する端壁に開口部１５又は１５’の少なくとも１つを設けることができる。このようにすれば、ケーシング３を急激に引き上げたとき、ケーシング３外部から上端側の開口部１４、１４’、ケーシング３内部、下端側の開口部１５、１５’、及びケーシング３外部へと水の流れが生じるので、ケーシング３内の収納部１３の上端側にある発光体２がその流れにのって、ケーシング３内の収納部１３の下端側に移動しやすくなる。
【００２１】
上記の周壁に開口部１４’、１５’を設ける場合、それら形状は、図３（ｂ）に示すような円形のものに限られず、図３（ｃ）に示すようなスリット形状のものでもよい。また、上記の周壁に開口部１４’、１５’を設ける場合、それらの位置は、各区域内であれば特に限定されないが、収納部１３の両端面から開口部１４’又は１５’までの距離が、発光体２の長さより短いのが好ましい。このようにすれば、ケーシング３を急激に引き上げてケーシング内部に水流を生じさせたとき、発光体２がその流れにのって、ケーシング３のの収納部１３の下端側に移動しやすくなるからである。
【００２２】
上記の周壁は各区域毎に異なる特徴を有する。すなわち、上記の一方の区域の周壁１７は透光性を有し、上記の他方の区域の周壁１６は遮光性を有する。このため、周壁１７を有する区域の収納部１３に発光体が存在すると、発光体の発する光が周壁１７を通じて外部に放射される。また、周壁１６を有する区域の収納部１３に発光体が存在すると、発光体の発する光が周壁１６によって遮蔽される。
【００２３】
収納部１３には、上記のいずれかの区域の長さ、すなわち、周壁１７の長さ又は周壁１６の長さと実質的に等しい長さの発光体２がその長さ方向に移動可能に収納される。図１又は２の集魚具１には、収納部１３の両端部に突部１８、１９が設けられており、発光体２が直接、連結部１１、１２と衝突するのを防止する。
【００２４】
次に、この集魚具１の作用を図１及び図２に示す集魚具１を用いて説明する。
連結部１１に道糸２１を連結して水中に投じると、ケーシング３に設けられた２つの開口部１４、１５から収納部１３に水が入り、水中で沈みやすくなる。さらに、この集魚具１の連結部１２に連結される道糸２２におもり（図示せず）が取り付けられるので、連結部１２側が水中で下方に向いて水中を降下する。
【００２５】
また、このおもりを取り付ける代わりに、図１に示すように、ケーシング３の部分のうち水中で下方に向く端部、すなわち、連結部１２を有する側の部分を金属等の水より重い材料から構成されるおもり部２０を形成すると、図４（ａ）に示すように、上記のおもりを取り付けた場合と同様に、ケーシング３の連結部１２側が下方に向いて水中を降下する。さらに、上記のようにおもり部２０をケーシング３に形成すると共に、連結部１２側に連結した道糸２２におもりをつければ、より早く集魚具を水中を降下させることができる。
【００２６】
このとき、ケーシング３は水中で垂直の状態となり、その内部の収納部に収納される発光体２は、上下方向に移動可能となる。したがって、周壁１７及び連結部１１が上方に配置され、周壁１６及び連結部１２が下方に配置される。また、発光体２は、一般に水より少し軽いため浮力によって上昇し、収納部の上端面に接する状態で存在する。周壁１７は透光性を有するので、発光体２の光は周壁１７を透過してそのまま水中に放射される。
【００２７】
道糸２１を急に引き上げると、ケーシング３は道糸２１と一緒に上方に引き上げられる。このとき、ケーシング３外部の水が上端側に配置される開口部１４から収納部１３に入り、下端側に配置される開口部１５からケーシング３の外部にでる水流が生じる。このため、発光体２は、図４（ｂ）に示すように、一時的に収納部１３の下端側に移動することとなる。ケーシング３の下端側の周壁１６は遮光性を有するので、発光体２の光は周壁１６を透過せず遮蔽される。その後、発光体２は浮力で収納部１３の上端側に戻る。ケーシング３の上端側の周壁１７は透光性を有するので、１回の集魚具１の急な引き上げの操作により点滅を生じさせることができる。
【００２８】
したがって、道糸２１を急に引き上げるたびに発光体２の光を遮蔽でき、この操作を繰り返すことにより発光体２を点滅を繰り返すことができる。この点滅によって魚の好奇心を誘うことが可能となる。
【００２９】
また、道糸２１の急な引き上げの繰り返しによって、発光体２は、図２に示すように、ケーシング１３の突部１８、１９との衝突が繰り返される。このため、衝突音が発生する。この衝突音によっても、魚の好奇心を誘うことが可能となる。
【００３０】
発光体２の長さは、ケーシング３を水中に入れたときに上方に配置される周壁１７の長さと実質的に等しい長さ、すなわち、周壁１７の長さの０．５〜１．５倍が好ましい。このようにすれば、ケーシング３の動きに対して生じる発光体２の点滅に支障をきたさない。
【００３１】
上記の周壁１６と周壁１７の位置は図１又は図２に記載の位置関係に限られるものではなく、周壁１６と周壁１７との位置を逆に設けてもよい。これにより、通常、発光体２の光は遮蔽され、道糸２１を急に引き上げた時にのみ、光を発するという点滅を生じさせることができる。
【００３２】
また、これら２つの区域の周壁１６、１７のいずれをも透光性とすると共に、これら２つの区域の周壁１６、１７の色相を互いに異なるものとしてもよい。これにより、通常は、上方側の周壁１７に発光体が位置するので、この周壁１７の色相の色を発することとなり、道糸２１を急に引き上げた時にのみ、下方側の周壁１６の色相の色を発することとなる。いずれの場合も、上記と同様に魚の好奇心を煽り、魚が釣れやすくなる。
【００３３】
ところで、上記図１〜図３に記載の集魚具１以外に、図５に示す集魚具１ａを用いることができる。この集魚具１ａは、道糸に通された弾力性のあるリングからなる連結部２５、２５’を用いてケーシング３と道糸２４を一体化させる以外は図１に示す集魚具１と同様である。集魚具１ａは、その両端部付近を連結部２５、２５’によって道糸２４に一体的に連結されるので、道糸２４を途中で切断することなく、この集魚具１ａを取り付けることが可能となる。この連結部２５、２５’は、道糸２４を途中で切断することなく、集魚具１ａ及び道糸２４を一体的に連結させるものであれば、特にリングに限定させるものではない。
【００３４】
また、図６に示すように、水中で下方に位置する連結部１２に直接釣針２３を設けた集魚具１ｂを用いることができる。この場合、集魚具１ｂをルアーとして使用することができる。
【００３５】
上記図５に記載の集魚具１ａ、図６に記載の集魚具１ｂは、いずれも、図３に記載の集魚具１の場合と同様に、両端壁に設けた開口部１４、１５の代わりに、周壁に開口部１４’、１５’を設けてもよい。
【００３６】
さらにまた、図７（ａ）（ｂ）に示すように、ルアーからなる集魚具１ｃを用いることができる。この集魚具１ｃは、発光体２及びケーシング３１からなる。このケーシング３１は、ルアーとして用いられる任意の形状をとることができる。このケーシング３１の所定の位置に連結部３２及びこれと相対する位置に連結部３３がそれぞれ設けられる。この連結部３２には道糸が連結され、連結部３３には釣針２３が連結される。ケーシング３１には切欠部３４が設けられ、切欠部３４を形成する１つの壁面３５から両連結部３２、３３を結ぶ方向に円柱状の穴３６が設けられる。また、この穴３６の周面と連続する内周面を有する円筒体３７を切欠部３４に設ける。上記の穴３６及び円筒体３７により収納部３８が形成される。この収納部３８のうち、穴３６の周壁と接する端壁、及び円筒体３７の端部と接するケーシング３１の壁に、それぞれ外部と通じる開口された通路からなる開口部３９、４０がそれぞれ設けられる。
【００３７】
この開口部３９、４０の代わりに、図８に示すように、穴３６の周壁及び円筒体３７に、それぞれ外部と通じる開口された通路からなる開口部３９’、４０’をそれぞれ設けてもよい。また、これらの組み合わせであってもよい。すなわち、穴の周壁又はその周壁と接する端壁に外部と通じる開口部３９、３９’の少なくとも１つを設け、円筒体３７又はその円筒体３７の端部に位置するケーシング３１の壁に外部と通じる開口部４０、４０’の少なくとも１つを設けてもよい。これらの開口部を設けることにより、図１〜３に記載の集魚具１の場合と同様に、ケーシング３１を急に引き上げた場合、ケーシング３１の外部から、上端側の開口部３９、３９’、ケーシング３１内部、及び下端側の開口部４０、４０’を経由してケーシング３１の外部にでる水流が形成され、発光体２をケーシング３１の下端側に押すことが可能となる。
【００３８】
円筒体３７は透光性を有し、収納部３８に穴３６の長さ又は円筒体３７の長さと実質的に等しい長さの発光体をその長さ方向に移動可能に収納する。
【００３９】
この集魚具１ｃを水中に投入した場合、ケーシング３１自体がルアーとしての自重を有し、水中に入れると道糸が連結された連結部３２側が上方に配される。このとき、穴３６は、切欠部３４の上方側の壁面３５に設けられているので、通常では、発光体２は、穴３６内に入って、発光体２の光は遮蔽される。連結部３２に連結した道糸を急に引き上げた場合、上記の場合と同様に、発光体２が下方に一時的に移動するので、発光体２の光が円筒体３７を透過して光を放射する。
【００４０】
したがって、上記の場合と同様に、連結部３２に連結した道糸を急に引き上げる操作を繰り返すことにより、発光体２の光を点滅させることができる。
【００４１】
また、連結部３２側を上方としたとき、切欠部３４の下方側の壁面４１から穴を設ければ、通常は光を放射し、連結部３２に連結された道糸を急に引き上げることにより遮光するという光の点滅を生じさせることができる。
【００４２】
なお、このときの発光体２の長さは、図１に示す集魚具１の場合と同様にすることができる。
【００４３】
また、図９に示すように、からみ防止用のＬ型の天秤の垂直側部分に上記集魚具１を用いてもよい。すなわち、集魚具１を垂直部分に用い、集魚具１の下端側端部に集魚具１の長さ方向と直角方向に横棒４２を設け、その先端に道糸２２を取り付け、集魚具１の下端部におもり４３を設けることにより、天秤を集魚具として使用することができる。このおもり４３の取り付け方は、特に限定されないが、ケーシング３の下端部に開口部１５を設け、横棒４２がケーシング３の開口部１５を横断する場合、この開口部１５を通る横棒４２の部分でおもり４３と連結させることができる。このようにすれば、おもりを容易に取り付けることができ、かつ、開口部１５が閉塞されないので、収納部１３内を通る水流が抑制されず、集魚具１としての役割を果たすことができる。
【００４４】
このケーシング３の下端部の構造は、横棒４２のかわりに開口部１５を横断し、ケーシング３に固定するピンを設けると、このピンにおもりや道糸を連結することにより、図１〜図３や図６に示す集魚具１、１ｂの下端部の構造として使用することができる。
【００４５】
この天秤は、釣糸等のもつれ防止や魚がかかったときの緩衝以外に、集魚の役割も果たすことができる。
【００４６】
【発明の効果】
この発明によれば、発光体から発する光を点滅させたり、光の色相を変化させることができる。これにより魚の好奇心を誘うことが可能となる。
【００４７】
さらに、道糸の急な引き上げの繰り返しによって、ケーシングの収納部の両端面と発光体との衝突が繰り返されるので、衝突音が発生する。この衝突音によっても、魚の好奇心を誘うことが可能となる。
【００４８】
また、集魚具のおもり部の重量を増加させると、集魚具自体をおもりとして使用することができる。このとき、集魚具とおもりが一体となるので、仕掛けが絡みにくくなり好ましい。
【００４９】
さらに、集魚具の下方側の連結部に釣針を直接連結することにより、集魚具自体をルアーとして使用することができる。
【００５０】
さらにまた、ルアーの一部に発光体を装着させることができ、ルアーを集魚具として使用することができる。
【００５１】
また、Ｌ型の天秤として集魚具を使用することができ、釣糸等のもつれ防止や魚がかかったときの緩衝の役目を果たすことができる。
【図面の簡単な説明】
【図１】この発明にかかる集魚具の例を示す斜視図
【図２】図１の断面図
【図３】（ａ）この発明にかかる集魚具の他の例を示す断面図
（ｂ）（ａ）の開口部の一部拡大正面図
（ｃ）（ｂ）の開口部の形状を変更した正面図
【図４】（ａ）図１の集魚具を水中に沈めたときの状態を示す正面図
（ｂ）図１の集魚具を水中で急に引き上げた状態を示す正面図
【図５】この発明にかかる集魚具の他の例を示す斜視図
【図６】この発明にかかる集魚具の他の例を示す斜視図
【図７】（ａ）この発明にかかる集魚具の他の例を示す斜視図
（ｂ）（ａ）のＡ−Ａ断面図
【図８】図７（ａ）集魚具の他の例を示す斜視図
【図９】この発明にかかる集魚具の他の例を示す断面図
【符号の説明】
１、１ａ、１ｂ、１ｃ  集魚具
２  発光体
３  ケーシング
１１  連結部
１２  連結部
１３  収納部
１４  開口部
１５  開口部
１６  周壁
１７  周壁
１８  突部
１９  突部
２０  おもり部
２１  道糸
２２  道糸
２３  釣針
２４  水
２５、２５’  連結部
３１  ケーシング
３２  連結部
３３  連結部
３４  切欠部
３５  壁面
３６  穴
３７  円筒体
３８  収納部
３９  開口部
４０  開口部
４１  壁面
４２  横棒
４３  おもり
【図１】
0003787229.tif 000002
【図２】
0003787229.tif 000003
【図３】
0003787229.tif 000004
【図４】
0003787229.tif 000005
【図５】
0003787229.tif 000006
【図６】
0003787229.tif 000007
【図７】
0003787229.tif 000008
【図８】
0003787229.tif 000009
【図９】
0003787229.tif 000010